(57)【要約】【課題】異なる剛性を有する貼合対象の貼り合せにおける粘着剤層同士の貼り合せにおいて、気泡の発生の抑制と貼合対象への追従性を両立することができる構造体及び表示装置を提供する。【解決手段】表示装置１は、画像を表示する表示部２と、表示部２の表面２０を保護する保護パネル３と、表示部２の表面２０に配置された低粘着剤層４０、保護パネル３に配置され、低粘着剤層４０よりも高い硬度を有する高粘着剤層４２、及び低粘着剤層４０と高粘着剤層４２の間に配置され、低粘着剤層４０と高粘着剤層４２の間の硬度を有する中粘着剤層４１、が積層された粘着層４と、を備えて概略構成されている。【選択図】図１
2016120659.tif 000002
【特許請求の範囲】
【請求項１】
剛性が異なり、互いに貼り合せられて一体となる第１の貼合対象及び第２の貼合対象と、
前記第１の貼合対象よりも剛性が低い前記第２の貼合対象の前記第１の貼合対象側の面に配置された低粘着剤層、前記第１の貼合対象の前記第２の貼合対象側の面に配置され、前記低粘着剤層よりも高い硬度を有する高粘着剤層、及び前記低粘着剤層と前記高粘着剤層の間に配置され、前記低粘着剤層と前記高粘着剤層の間の硬度を有する少なくとも１つの中粘着剤層、が積層された粘着層と、
を備えた構造体。
【請求項２】
剛性が異なり、互いに貼り合せられて一体となる第１の貼合対象及び第２の貼合対象と、
前記第１の貼合対象よりも剛性が低い前記第２の貼合対象の前記第１の貼合対象側の表面に配置され、前記第２の貼合対象の前記表面に追従して変形する追従層、前記第１の貼合対象の前記第２の貼合対象側の面に配置され、前記低粘着剤層よりも高い硬度を有すると共に、前記第１の貼合対象との間に生じる気泡を抑制する抑制層、及び前記追従層と前記抑制層の間に配置され、前記追従層と前記抑制層の間の硬度を有すると共に前記追従層と前記抑制層の凝集力の差を緩和する少なくとも１つの中粘着剤層、が積層された粘着層と、
を備えた構造体。
【請求項３】
画像を表示する表示部と
前記表示部の表面を保護する保護パネルと、
前記表示部の前記表面に配置された低粘着剤層、前記保護パネルに配置され、前記低粘着剤層よりも高い硬度を有する高粘着剤層、及び前記低粘着剤層と前記高粘着剤層の間に配置され、前記低粘着剤層と前記高粘着剤層の間の硬度を有する少なくとも１つの中粘着剤層、が積層された粘着層と、
を備えた表示装置。
【請求項４】
前記少なくとも１つの中粘着剤層の全厚みは、前記高粘着剤層及び前記低粘着剤層のいずれの厚みより薄い、
請求項１又は請求項２に記載の構造体、或いは請求項３に記載の表示装置。
【発明の詳細な説明】
【技術分野】
【０００１】
本発明は、構造体及び表示装置に関する。
【背景技術】
【０００２】
従来の技術として、基材の一面に、装飾部が設けられた透明パネルに貼り付けられる透明パネル側粘着剤層と、基材の他面に、画像表示装置表面に貼り付けられる画像表示装置側粘着剤層と、を備えたパネル固定用両面粘着テープが知られている（例えば、特許文献１参照。）。
【０００３】
このパネル固定用両面粘着テープは、透明パネルから発生するアウトガスによる接合界面での気泡の発生を抑制すると共に、装飾部により生じる段差への追従性に優れている。
【先行技術文献】
【特許文献】
【０００４】
【特許文献１】特開２０１２−１７３８６号公報
【発明の概要】
【発明が解決しようとする課題】
【０００５】
気泡の発生の抑制は、粘着剤層の硬度が高い必要があり、段差への追従性は、粘着剤層の硬度が低い必要がある。例えば、従来のパネル固定用両面粘着テープが、基材が無い、透明パネル側粘着剤層及び画像表示装置側粘着剤層のみの粘着テープとして構成された場合、透明パネル側粘着剤層と画像表示装置側粘着剤層とが直接接触するので、硬度が異なることに起因する凝縮力の差により、一方が他方を引っ張る現象が生じて表示むら等が発生する可能性がある。
【０００６】
従って、本発明の目的は、異なる剛性を有する貼合対象の貼り合せにおける粘着剤層同士の貼り合せにおいて、気泡の発生の抑制と貼合対象への追従性を両立した構造体及び表示装置を提供することにある。
【課題を解決するための手段】
【０００７】
本発明の一態様は、剛性が異なり、互いに貼り合せられて一体となる第１の貼合対象及び第２の貼合対象と、第１の貼合対象よりも剛性が低い第２の貼合対象の第１の貼合対象側の面に配置された低粘着剤層、第１の貼合対象の第２の貼合対象側の面に配置され、低粘着剤層よりも高い硬度を有する高粘着剤層、及び低粘着剤層と高粘着剤層の間に配置され、低粘着剤層と高粘着剤層の間の硬度を有する少なくとも１つの中粘着剤層、が積層された粘着層と、を備えた構造体を提供する。
【発明の効果】
【０００８】
本発明によれば、異なる剛性を有する貼合対象の貼り合せにおける粘着剤層同士の貼り合せにおいて、気泡の発生の抑制と貼合対象への追従性を両立することができる。
【図面の簡単な説明】
【０００９】
【図１】図１は、実施の形態に係る表示装置の断面を模式的に示す図である。
【図２】図２は、変形例に係る表示装置の断面を模式的に示す図である。
【発明を実施するための形態】
【００１０】
（実施の形態の要約）
実施の形態に係る構造体は、剛性が異なり、互いに貼り合せられて一体となる第１の貼合対象及び第２の貼合対象と、第１の貼合対象よりも剛性が低い第２の貼合対象の第１の貼合対象側の面に配置された低粘着剤層、第１の貼合対象の第２の貼合対象側の面に配置され、低粘着剤層よりも高い硬度を有する高粘着剤層、及び低粘着剤層と高粘着剤層の間に配置され、低粘着剤層と高粘着剤層の間の硬度を有する少なくとも１つの中粘着剤層、が積層された粘着層と、を備えて概略構成されている。
【００１１】
[実施の形態]
（表示装置１の全体構成）
図１は、実施の形態に係る表示装置の断面を模式的に示す図である。なお、以下に記載する実施の形態に係る各図において、図形間の比率は、実際の比率とは異なる場合がある。また数値範囲を示す「Ａ〜Ｂ」は、Ａ以上Ｂ以下の意味で用いるものとする。
【００１２】
本実施の形態では、剛性が異なり、互いに貼り合せられて一体となる第１の貼合対象及び第２の貼合対象と、第１の貼合対象よりも剛性が低い第２の貼合対象の第１の貼合対象側の面に配置された低粘着剤層、第１の貼合対象の第２の貼合対象側の面に配置され、低粘着剤層よりも高い硬度を有する高粘着剤層、及び低粘着剤層と高粘着剤層の間に配置され、低粘着剤層と高粘着剤層の間の硬度を有する少なくとも１つの中粘着剤層、が積層された粘着層と、を備えた構造体について説明する。
【００１３】
この構造体の一例が、図１に示す表示装置１である。また第１の貼合対象は、一例として、保護パネル３である。第２の貼合対象は、一例として、表示部２である。低粘着剤層は、一例として、低粘着剤層４０である。中粘着剤層は、一例として、中粘着剤層４１である。高粘着剤層は、一例として、高粘着剤層４２である。粘着層は、一例として、粘着層４である。
【００１４】
従って構造体としての表示装置１は、画像を表示する表示部２と、表示部２の表面２０を保護する保護パネル３と、表示部２の表面２０に配置された低粘着剤層４０、保護パネル３に配置され、低粘着剤層４０よりも高い硬度を有する高粘着剤層４２、及び低粘着剤層４０と高粘着剤層４２の間に配置され、低粘着剤層４０と高粘着剤層４２の間の硬度を有する中粘着剤層４１、が積層された粘着層４と、を備えて概略構成されている。
【００１５】
（表示部２の構成）
表示部２は、一例として、液晶モニタである。この表示部２の表面２０は、保護パネル３よりも剛性が低くなっている。
【００１６】
（保護パネル３の構成）
保護パネル３は、表示部２の表面２０を保護するものである。この保護パネル３は、光の透過率が高いＰＭＭＡ（ポリメチルメタクリレート）、ポリカーボネート等の透明樹脂により形成されている。保護パネル３の厚みは、一例として、３ｍｍである。透過率は、一例として、９０％以上である。本実施の形態に記載された透過率は、ＪＩＳ  Ｋ７３６１に従って評価されたものである。
【００１７】
なお保護パネル３は、例えば、表面３０になされた操作を検出するタッチセンサとして構成されても良い。
【００１８】
（粘着層４の構成）
粘着層４を構成する低粘着剤層４０、中粘着剤層４１及び高粘着剤層４２は、基材を有していない層である。つまり低粘着剤層４０、中粘着剤層４１及び高粘着剤層４２は、粘着剤層同士が直接接触している。この低粘着剤層４０、中粘着剤層４１及び高粘着剤層４２は、例えば、シート状に形成されている。
【００１９】
低粘着剤層４０、中粘着剤層４１及び高粘着剤層４２は、例えば、それぞれの硬度が異なるアクリル系の粘着剤である。また低粘着剤層４０、中粘着剤層４１及び高粘着剤層４２は、例えば、実質的に等しい光学特性を有することが望ましい。この光学特性は、例えば、透過率及び屈折率である。
【００２０】
低粘着剤層４０、中粘着剤層４１及び高粘着剤層４２は、例えば、可視光領域の全光線透過率が、８０％以上が好ましく、９０％以上がより好ましい。本実施の形態の透過率は、一例として、およそ９０％である。
【００２１】
各層の屈折率は、屈折率の差が小さい方が各層の境界において発生する反射を抑制できるので、実質的に等しい方が望ましい。各層の境界における反射が小さく、また気泡の発生が少ない方が、粘着層４、保護パネル３を介した表示部２が表示する画像のコントラストの低下が抑制される。
【００２２】
低粘着剤層４０は、保護パネル３よりも剛性が低い表示部２の保護パネル３側の表面２０に配置され、表示部２の表面２０に追従して変形する追従層である。言い換えるなら表示部２の表面２０は、保護パネル３と比べて軟らかいので、保護パネル３用の硬い粘着剤が貼り付けられると、追従性が良くないことから表面２０と粘着剤層との間に気泡が発生し、コントラストの低下や表示むら等の原因となる。従って本実施の形態の低粘着剤層４０は、表示部２の表面２０の形状に追従し易いように、凝集力が低い、つまり硬度が低いことが望ましい。なお硬度は、後述する貯蔵弾性率によって表される。
【００２３】
低粘着剤層４０は、例えば、厚みが好ましくは１０〜５０μｍであり、より好ましくは１０〜２５μｍである。本実施の形態の低粘着剤層４０の厚みは、一例として、２５μｍである。
【００２４】
また低粘着剤層４０は、貯蔵弾性率が４０００〜４５００Ｐａであり、より好ましくは、４２００〜４３００Ｐａである。本実施の形態の低粘着剤層４０の貯蔵弾性率は、一例として、４３００Ｐａである。この貯蔵弾性率は、粘着剤層の硬度を示している。なお、この貯蔵弾性率の評価方法は、ＪＩＳ  Ｋ７２４４に沿って行われる。
【００２５】
高粘着剤層４２は、保護パネル３の表示部２側の裏面３１に配置され、低粘着剤層４０よりも高い硬度を有すると共に、保護パネル３との間に生じる気泡を抑制する抑制層である。保護パネル３は、上述のように、樹脂により形成されているため、樹脂の揮発成分であるアウトガスによって粘着剤層との間に気泡が生じる可能性がある。保護パネル３に貼り合わされる粘着剤層は、この気泡を抑制するため、粘着剤の凝集力が高い、つまり硬度が高いことが望ましい。
【００２６】
高粘着剤層４２は、例えば、厚みが好ましくは１０〜５０μｍであり、より好ましくは１０〜２５μｍである。本実施の形態の高粘着剤層４２の厚みは、一例として、２５μｍである。
【００２７】
また高粘着剤層４２は、貯蔵弾性率が５０００〜５５００Ｐａであり、より好ましくは、５２００〜５３００Ｐａである。本実施の形態の高粘着剤層４２の貯蔵弾性率は、一例として、５３００Ｐａである。
【００２８】
中粘着剤層４１は、追従層としての低粘着剤層４０と抑制層としての高粘着剤層４２の間に配置され、低粘着剤層４０と高粘着剤層４２の間の硬度を有すると共に低粘着剤層４０と高粘着剤層４２の凝集力の差を緩和する緩和層である。上述のように、低粘着剤層４０と高粘着剤層４２は、硬度に差があるため、凝縮力に差が生じる。低粘着剤層４０と高粘着剤層４２を貼り合せた場合、この凝縮力の差により、相対的に一方の層が他方の層を引っ張ることとなり、粘着層の光学特性が低下する。
【００２９】
中粘着剤層４１は、この光学特性の低下を抑制するため、低粘着剤層４０と高粘着剤層４２の間の硬度を有している。
【００３０】
中粘着剤層４１は、例えば、厚みが好ましくは１０〜５０μｍであり、より好ましくは１０〜２５μｍである。本実施の形態の中粘着剤層４１の厚みは、一例として、２５μｍである。
【００３１】
中粘着剤層４１は、上述のように、低粘着剤層４０の貯蔵弾性率が４３００Ｐａ、高粘着剤層４２の貯蔵弾性率が５３００Ｐａであることから、貯蔵弾性率が４３００Ｐａより大きく５３００Ｐａより小さい。本実施の形態の中粘着剤層４１は、一例として、貯蔵弾性率が５０００Ｐａである。
【００３２】
（粘着層４の変形例について）
図２は、変形例に係る表示装置の断面を模式的に示す図である。この表示装置１は、図２に示すように、中粘着剤層４１が複数の層により構成されている。この中粘着剤層４１は、第１の中粘着剤層４１ａと、第２の中粘着剤層４１ｂと、を備えている。なお中粘着剤層４１は、さらに多くの層に分かれていても良い。
【００３３】
第１の中粘着剤層４１ａが低粘着剤層４０側に配置され、第２の中粘着剤層４１ｂが高粘着剤層４２側に配置されている。
【００３４】
中粘着剤層４１の複数層化は、低粘着剤層４０と高粘着剤層４２の硬度の差が大きい場合に特に有効である。従って中粘着剤層４１の各層は、異なる硬度、つまり段階的に硬度が変わるように構成されることが望ましい。
【００３５】
また他の変形例として、中粘着剤層４１の全厚みは、粘着層４の厚みを抑制するため、高粘着剤層４２及び低粘着剤層４０のいずれの厚みより薄くされる。中粘着剤層４１は、高粘着剤層４２と低粘着剤層４０の間に配置されるので、高粘着剤層４２及び低粘着剤層４０より薄くても、表示部２と保護パネル３の貼り合せの強度に与える影響が少ない。
【００３６】
さらに他の変形例として、粘着層４は、各層を貼り合せた構成に限定されず、１つの粘着剤層において、一方の面側の硬度が高く、他方の面側の硬度が低くなるように連続的に変化するように構成されても良い。
【００３７】
（実施の形態の効果）
本実施の形態に係る表示装置１は、異なる剛性を有する貼合対象の貼り合せにおける粘着剤層同士の貼り合せにおいて、気泡の発生の抑制と貼合対象への追従性を両立することができる。具体的には、表示装置１は、剛性が異なる表示部２と保護パネル３の貼り合せが、粘着層４によって行われている。この粘着層４は、剛性の低い表示部２側に、硬度が低い低粘着剤層４０を配置し、剛性が高い保護パネル３側に、硬度が高い高粘着剤層４２を配置し、低粘着剤層４０と高粘着剤層４２の間に、硬度の差を緩和する中粘着剤層４１が配置されている。粘着層４は、硬度の差、つまり凝縮力の差が緩和され、低粘着剤層４０と高粘着剤層４２の一方が他方を引っ張るような力が緩和される。従って表示装置１は、異なる剛性を有する表示部２と保護パネル３の貼り合せにおける粘着剤層同士の貼り合せにおいて、相反する特性である、気泡の発生の抑制と貼合対象への追従性を両立することができる。
【００３８】
また表示装置１は、気泡の発生を抑制すると共に追従性を高めることができるので、中粘着剤層４１を備えない場合と比べて、表示部２の表示のコントラストを向上させることができる。
【００３９】
本実施の形態では、構造体の一例としての表示装置１について説明したが、これに限定されず、剛性の異なる貼合対象同士の貼り合せに、好適に用いることができる。
【００４０】
以上、本発明の実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００４１】
１…表示装置
２…表示部
３…保護パネル
４…粘着層
２０…表面
３０…表面
３１…裏面
４０…低粘着剤層
４１…中粘着剤層
４１ａ…第１の中粘着剤層
４１ｂ…第２の中粘着剤層
４２…高粘着剤層
【図１】
2016120659.tif 000003
【図２】
2016120659.tif 000004